(57)【要約】      （修正有）【課題】ユーザインターフェイス上にオーディオビデオ（ＡＶ）コンテンツ情報を提示する。【解決手段】オーディオビデオ（ＡＶ）コンテンツ（番組）のユーザインターフェイス（ＵＩ）では、第１のＡＶコンテンツを含む少なくとも１つの利用可能なＡＶコンテンツのための情報を含む。さらに、この第１のＡＶコンテンツのための情報は、現時点における第１のＡＶコンテンツを提示している他のＡＶＤの数、現時点における第１のＡＶコンテンツの評価、現時点における第１のＡＶコンテンツのいいね！又はよくないね！の数、現時点における第１のＡＶコンテンツに関するコメント数、及び／又は現時点で第１のＡＶコンテンツが流行っているかどうかの指標を含む。【選択図】図６
2015056904.tif 000002
【特許請求の範囲】
【請求項１】
オーディオビデオ装置（ＡＶＤ）であって、
ディスプレイを制御するように構成されたプロセッサと、
前記プロセッサがアクセス可能な、搬送波ではない少なくとも１つのコンピュータ可読記憶媒体と、
を備え、前記コンピュータ可読記憶媒体は、前記プロセッサによる実行時に、該プロセッサに、利用可能なオーディオビデオ（ＡＶ）コンテンツ（番組）の少なくともユーザインターフェイス（ＵＩ）を前記ディスプレイ上に提示させる命令を有し、前記ＵＩは、第１のＡＶコンテンツを含む少なくとも１つの利用可能なＡＶコンテンツのための最新情報を含み、該第１のＡＶコンテンツのための最新情報は、現時点における前記第１のＡＶコンテンツを提示している他のＡＶＤの数、現時点における前記第１のＡＶコンテンツの評価、現時点における前記第１のＡＶコンテンツのいいね又はよくないねの数、現時点における前記第１のＡＶコンテンツに関するコメント数、及び前記第１のＡＶコンテンツが現時点で流行っているかどうかの指標を含む、
ことを特徴とするオーディオビデオ装置（ＡＶＤ）。
【請求項２】
前記第１のコンテンツはテレビ放送である、
ことを特徴とする請求項１に記載のＡＶＤ。
【請求項３】
前記現時点における前記第１のＡＶコンテンツを提示している他のＡＶＤの数に関する前記最新情報は、前記ＵＩが提示された時に、該ＵＩ上でほぼリアルタイムに更新される、
ことを特徴とする請求項１に記載のＡＶＤ。
【請求項４】
前記現時点における前記第１のＡＶコンテンツの評価に関する前記最新情報は、前記ＵＩが提示された時に、該ＵＩ上でほぼリアルタイムに更新される、
ことを特徴とする請求項１に記載のＡＶＤ。
【請求項５】
前記現時点における前記第１のＡＶコンテンツのいいね又はよくないねの数に関する前記最新情報は、前記ＵＩが提示された時に、該ＵＩ上でほぼリアルタイムに更新される、
ことを特徴とする請求項１に記載のＡＶＤ。
【請求項６】
前記いいね及びよくないねは、ソーシャルネットワーキングサービスへの入力に関連し、前記プロセッサは、該ソーシャルネットワーキングサービスにアクセスできるように構成される、
ことを特徴とする請求項５に記載のＡＶＤ。
【請求項７】
前記いいね及びよくないねの数は、複数のソーシャルネットワーキングサービスへの入力に基づく前記第１のＡＶコンテンツのいいね及びよくないねの数の集約であり、前記プロセッサは、前記いいね及びよくないねの数にアクセス可能である、
ことを特徴とする請求項５に記載のＡＶＤ。
【請求項８】
前記現時点における前記第１のＡＶコンテンツについてのコメント数に関する前記最新情報は、前記ＵＩが提示された時に、該ＵＩ上でほぼリアルタイムに更新される、
ことを特徴とする請求項１に記載のＡＶＤ。
【請求項９】
前記第１のＡＶコンテンツが現時点で流行っているかどうかの指標は、前記ＵＩが提示された時に、該ＵＩ上でほぼリアルタイムに更新される、
ことを特徴とする請求項１に記載のＡＶＤ。
【請求項１０】
前記ＵＩは、電子番組ガイド（ＥＰＧ）であり、前記最新情報は、該最新情報を提供するサーバから該情報の変更が受け取られた時に、前記ＵＩ上でほぼリアルタイムに更新される情報である、
ことを特徴とする請求項１に記載のＡＶＤ。
【請求項１１】
前記ＵＩ上に含まれる前記最新情報は、ハイパーテキスト転送プロトコル（ＨＴＴＰ）アプリケーションプログラミングインターフェイス（ＡＰＩ）を用いて少なくとも部分的にインターネットサーバから受け取られる、
ことを特徴とする請求項１に記載のＡＶＤ。
【請求項１２】
複数のオーディオビデオ（ＡＶ）コンテンツの各々のための情報を含むユーザインターフェイス（ＵＩ）をディスプレイ上に提示して、前記情報が前記ＵＩ上に表示されるようにするステップと、
前記ＵＩが提示され、少なくとも１つのＡＶコンテンツのための前記情報の少なくとも一部のための少なくとも１つの情報更新が受け取られた時に、前記ＵＩ上の情報をほぼリアルタイムで更新するステップと、
を含む方法であって、
第１のＡＶコンテンツのための情報が、現時点における別個の消費者電子（ＣＥ）装置上の前記ＡＶコンテンツの提示数の視聴カウントを含み、該視聴カウントは、前記視聴カウントのための情報更新が受け取られた時に前記ＵＩ上でほぼリアルタイムに更新される、
ことを特徴とする方法。
【請求項１３】
前記ディスプレイの少なくとも一部に前記第１のＡＶコンテンツを提示するステップと、
前記ディスプレイの少なくとも一部におけるＡＶコンテンツの提示を前記第１のＡＶコンテンツから第２のＡＶコンテンツに変更するためのユーザ入力を受け取ったことに応答して、提示を前記第１のＡＶコンテンツから前記第２のＡＶコンテンツに変更することを示す通知をサーバに提供するステップと、
をさらに含み、前記サーバは、前記通知を利用して、前記ディスプレイ上における前記第２のコンテンツの提示を考慮した視聴数を含む前記第２のＡＶコンテンツの視聴カウントを含む情報更新を提供することができる、
ことを特徴とする請求項１２に記載の方法。
【請求項１４】
前記ディスプレイの少なくとも一部におけるＡＶコンテンツの前記提示を前記第１のＡＶコンテンツから前記第２のＡＶコンテンツに変更するためのユーザ入力を受け取ったことに応答して、前記ディスプレイのあらゆる部分に前記第１のＡＶコンテンツを提示することを中止して、前記ディスプレイの少なくとも一部に前記第２のＡＶコンテンツを提示するステップをさらに含む、
ことを特徴とする請求項１３に記載の方法。
【請求項１５】
前記通知は、前記第１のＡＶコンテンツが前記ディスプレイ上にもはや提示されていないことを示す情報を含み、前記サーバは、前記通知を利用して、前記ディスプレイ上における前記第１のＡＶコンテンツの提示を含まない視聴数を含む前記第１のＡＶコンテンツの視聴カウントを含む情報更新を提供することができる、
ことを特徴とする請求項１３に記載の方法。
【請求項１６】
前記ディスプレイの少なくとも一部におけるＡＶコンテンツの提示を前記第１のＡＶコンテンツから前記第２のＡＶコンテンツに変更するための前記ユーザ入力は、前記ＵＩの操作に基づいて少なくとも部分的に受け取られる、
ことを特徴とする請求項１３に記載の方法。
【請求項１７】
搬送波ではないコンピュータ可読記憶媒体であって、該コンピュータ可読記憶媒体は、消費者電子（ＣＥ）装置のプロセッサによる実行時に、該プロセッサが制御可能なディスプレイ装置上に、利用可能なオーディオビデオ（ＡＶ）コンテンツの少なくともユーザインターフェイス（ＵＩ）を提示して、該ＵＩが、第１のＡＶコンテンツを含む少なくとも１つのＡＶコンテンツのための情報と、個々の消費者電子（ＣＥ）装置の、それぞれのＣＥ装置上で前記第１のＡＶコンテンツを録画するように前記それぞれのＣＥ装置において設定されている現時点における録画インスタンスの数を含む前記第１のＡＶコンテンツのための情報とを提示するようにすることを含む論理を実行するように前記プロセッサを構成する命令を有する、
ことを特徴とするコンピュータ可読記憶媒体。
【請求項１８】
前記ＵＩは、現時点における前記第１のＡＶコンテンツを提示している他のＣＥ装置の数、現時点における前記第１のＡＶコンテンツの評価、及び現時点における前記第１のＡＶコンテンツに関するコメント数を含む前記第１のＡＶコンテンツのための情報を提示する、
ことを特徴とする請求項１７に記載のコンピュータ可読記憶媒体。
【請求項１９】
前記情報は、前記ＵＩ上の予想録画セレクタ要素の選択に応答して提示される、
ことを特徴とする請求項１７に記載のコンピュータ可読記憶媒体。
【請求項２０】
前記予想録画セレクタ要素の選択に応答して、個々の消費者電子（ＣＥ）装置の、複数のそれぞれのＡＶコンテンツの各々をそれぞれのＣＥ装置上に記録するように前記それぞれのＣＥ装置において設定されている現時点における記録インスタンスの数を含む前記複数のＡＶコンテンツのための情報が提示される、
ことを特徴とする請求項１９に記載のコンピュータ可読記憶媒体。
【発明の詳細な説明】
【技術分野】
【０００１】
本出願は、一般にユーザインターフェイス上にオーディオビデオ（ＡＶ）コンテンツ情報を提示することに関する。
【背景技術】
【０００２】
一般に、ディスプレイ装置上に提示できる電子番組ガイド（ＥＰＧ）などのユーザインターフェイス（ＵＩ）は、ディスプレイ装置上における提示に利用可能な様々なオーディオビデオ（ＡＶ）コンテンツのための情報を含む。この情報は、例えば特定のＴＶチャンネルでＡＶコンテンツが放送されている時間、ＡＶコンテンツの俳優又は参加者、及びＡＶコンテンツのタイトルなどの事項を含むことができる。本原理は、さらに他の情報をＥＰＧ上に提示することもできると認識する。
【発明の概要】
【課題を解決するための手段】
【０００３】
第１の態様では、オーディオビデオ装置（ＡＶＤ）が、ディスプレイを制御するように構成されたプロセッサと、プロセッサがアクセス可能な、搬送波ではない少なくとも１つのコンピュータ可読記憶媒体とを含む。このコンピュータ可読記憶媒体は、プロセッサによる実行時に、プロセッサに、利用可能なオーディオビデオ（ＡＶ）コンテンツ（番組）の少なくともユーザインターフェイス（ＵＩ）をディスプレイ上に提示させる命令を有する。ＵＩは、第１のＡＶコンテンツを含む少なくとも１つの利用可能なＡＶコンテンツのための情報を含む。さらに、第１のＡＶコンテンツのための情報は、現時点における第１のＡＶコンテンツを提示している他のＡＶＤの数、現時点における第１のＡＶコンテンツの評価、現時点における第１のＡＶコンテンツのいいね！又はよくないね！の数、現時点における第１のＡＶコンテンツに関するコメント数、及び／又は第１のＡＶコンテンツが現時点で流行っているかどうかの指標を含む。
【０００４】
いくつかの実施形態では、第１のＡＶコンテンツをテレビ放送とすることができ、ＵＩを電子番組ガイド（ＥＰＧ）とすることができる。また、いくつかの実施形態では、ＵＩ上に含まれる情報を、ハイパーテキスト転送プロトコル（ＨＴＴＰ）アプリケーションプログラミングインターフェイス（ＡＰＩ）を用いて少なくとも部分的にインターネットサーバから受け取ることができる。
【０００５】
さらに、必要に応じて、ディスプレイ上にＵＩが提示されている時に、現時点における第１のＡＶコンテンツを提示している他のＡＶＤの数、現時点における第１のコンテンツの評価、現時点における第１のコンテンツのいいね！又はよくないね！の数、現時点における第１のＡＶコンテンツに関するコメント数、及び第１のＡＶコンテンツが現時点で流行っているかどうかの指標についての情報部分のうちの１つ又はそれ以上をＵＩ上でほぼリアルタイムに更新することができる。ほぼリアルタイムに更新できるいいね！及びよくないね！についてさらに説明すると、これらはソーシャルネットワーキングサービスへの入力に関連することができ、プロセッサは、このソーシャルネットワーキングサービスにアクセスできるように構成可能である。これに加えて又はこれとは別に、このいいね！及びよくないね！は、複数のソーシャルネットワーキングサービスへの入力に基づく第１のＡＶコンテンツのいいね！及びよくないね！の集約とすることができ、プロセッサは、このソーシャルネットワーキングサービスを使用して入力されたいいね！及びよくないね！の数にアクセスすることができる。
【０００６】
別の態様では、方法が、複数のオーディオビデオ（ＡＶ）コンテンツの各々のための情報を含むユーザインターフェイス（ＵＩ）をディスプレイ上に提示するステップと、ＵＩが提示された時にＵＩ上の情報を更新するステップとを含む。更新するステップは、少なくとも１つのＡＶコンテンツのための情報の少なくとも一部のための少なくとも１つの情報更新が受け取られた時にほぼリアルタイムで行われる。さらに、提示される第１のＡＶコンテンツのための情報が、現時点における別個の消費者電子（ＣＥ）装置上のＡＶコンテンツの提示数の視聴カウントを含み、この視聴カウントは、視聴カウントのための情報更新が受け取られた時にＵＩ上でほぼリアルタイムに更新される。
【０００７】
さらに別の態様では、搬送波ではないコンピュータ可読記憶媒体が、消費者電子（ＣＥ）装置のプロセッサによる実行時に、プロセッサが制御可能なディスプレイ装置上に利用可能なオーディオビデオ（ＡＶ）コンテンツの少なくともユーザインターフェイス（ＵＩ）を提示することを含む論理を実行するようにプロセッサを構成する命令を有する。ＵＩは、少なくとも第１のＡＶコンテンツのための情報を提示する。第１のＡＶコンテンツのための情報は、個々の消費者電子（ＣＥ）装置の、第１のＡＶコンテンツをそれぞれのＣＥ装置上に記録するようにそれぞれのＣＥ装置において設定されている現時点におけるインスタンスの数を含む。
【０００８】
同じ参照数字が同じ部分を示す添付図面を参照することにより、本発明の詳細をその構造及び動作の両方に関して最も良く理解することができる。
【図面の簡単な説明】
【０００９】
【図１】本原理による、ＣＥ装置を含む例示的なシステムのブロック図である。
【図２】本原理による、最新情報ユーザインターフェイスを提示するための、ＣＥ装置により実行される論理の例示的なフローチャートである。
【図３】本原理による、１又はそれ以上のＡＶコンテンツのための最新情報を提供するための、サーバにより実行される論理の例示的なフローチャートである。
【図４】本原理による例示的な最新情報ユーザインターフェイスを示す図である。
【図５】本原理による例示的な最新情報ユーザインターフェイスを示す図である。
【図６】本原理による例示的な最新情報ユーザインターフェイスを示す図である。
【図７】本原理による例示的な最新情報ユーザインターフェイスを示す図である。
【図８】本原理による例示的な最新情報ユーザインターフェイスを示す図である。
【図９】本原理による例示的な最新情報ユーザインターフェイスを示す図である。
【図１０】本原理による例示的な最新情報ユーザインターフェイスを示す図である。
【図１１】本原理による例示的な最新情報設定ＵＩを示す図である。
【発明を実施するための形態】
【００１０】
消費者電子（ＣＥ）装置に基づくユーザ情報のための方法、装置及びシステムを開示する。本明細書におけるシステムは、互いにデータを交換できるようにネットワークを介して接続されたサーバコンポーネント及びクライアントコンポーネントを含むことができる。クライアントコンポーネントは、１又はそれ以上のコンピュータ装置を含むことができる。これらのコンピュータ装置は、テレビ（例えば、コンピュータ化ＴＶ、インターネット対応ＴＶ、及び／又は高品位（ＨＤ）ＴＶ）、パーソナルコンピュータ、ラップトップ、タブレットコンピュータ、及びコンピュータ化された「スマート」フォンを含むその他のモバイル装置を含むことができる。これらのクライアント装置は、様々な動作環境で動作することができる。例えば、クライアントコンピュータの一部には、ＭｉｃｒｏｓｏｆｔＷｉｎｄｏｗｓ（登録商標）オペレーティングシステムを実行できるものもある。他のクライアント装置には、Ｕｎｉｘオペレーティングシステム、又はＩＯＳ（登録商標）オペレーティングシステムなどのＡｐｐｌｅ（登録商標）Ｃｏｍｐｕｔｅｒ社製のオペレーティングシステム、又はＧｏｏｇｌｅ（登録商標）社製のＡｎｄｒｏｉｄ（登録商標）オペレーティングシステムといった１又はそれ以上の派生品を実行できるものもある。クライアント装置の構成例を示しているが、これらは一例にすぎず、限定を意味するものではない。これらの動作環境は、Ｍｉｃｒｏｓｏｆｔ  Ｉｎｔｅｒｎｅｔ  Ｅｘｐｌｏｒｅｒ（登録商標）、Ｆｉｒｅｆｏｘ、Ｇｏｏｇｌｅ  Ｃｈｒｏｍｅ（登録商標）、又はその他の多くのブラウザプログラムの１つなどの１又はそれ以上のブラウジングプログラムを含むこともできる。クライアント装置のブラウジングプログラムを使用して、後述するサーバコンポーネントによりホストされるウェブアプリケーションにアクセスすることができる。
【００１１】
サーバコンポーネントは、ネットワークを介してデータを送受信するようにサーバを構成する命令を実行する１又はそれ以上のコンピュータサーバを含むことができる。例えば、いくつかの実装では、インターネットを介してクライアントコンポーネントとサーバコンポーネントを接続することができる。他の実装では、学校内又は学区内のイントラネットなどのローカルイントラネットを介してクライアントコンポーネントとサーバコンポーネントを接続することができる。他の実装では、クライアントコンポーネントとサーバコンポーネントの間に仮想プライベートネットワークを実装することができる。また、この仮想プライベートネットワークを、インターネット又はイントラネットを介して実装することもできる。
【００１２】
上述したクライアント装置は、サーバにより生成されたデータを受け取ることができる。クライアント装置は、サーバが受け取るネットワークデータを生成することもできる。サーバコンポーネントは、ロードバランサ、ファイアウォール、キャッシュ及びプロキシ、並びに信頼できるセキュアなウェブサイトインフラを実装するための当業で公知のその他のネットワークインフラを含むこともできる。１又はそれ以上のサーバコンポーネントは、１又はそれ以上のメンバにセキュアなコミュニティを提供する方法を実施する装置を形成することができる。この方法は、サーバコンポーネントに含まれるプロセッサ上で実行されるソフトウェア命令により実施することができる。これらの方法は、後述するユーザインターフェイスの例の１つ又はそれ以上を利用することができる。
【００１３】
本技術は、他の数多くの汎用又は専用コンピュータシステム環境又は構成と共に動作することができる。本発明との使用に適することができる周知のコンピュータシステム、環境及び／又は構成の例としては、以下に限定されるわけではないが、ＴＶ、パーソナルコンピュータ、サーバコンピュータ、ハンドヘルド型又はラップトップ型装置、マルチプロセッサシステム、プロセッサベースシステム、プログラマブル消費者家電、ネットワークＰＣ、ミニコンピュータ、メインフレームコンピュータ、及びこれらのシステム又は装置のいずれかを含む分散コンピュータ環境などが挙げられる。
【００１４】
本明細書で使用する命令とは、システム内で情報を処理するためのコンピュータ実行ステップのことを意味する。命令は、ソフトウェア、ファームウェア又はハードウェアに実装することができ、本システムの構成要素が実施するあらゆる種類のプログラムされたステップを含む。
【００１５】
プロセッサは、ＡＭＤ（登録商標）Ａｔｈｌｏｎ（登録商標）ＩＩ又はＰｈｅｎｏｍ（登録商標）ＩＩプロセッサ、Ｉｎｔｅｌ（登録商標）ｉ３（登録商標）／ｉ５（登録商標）／ｉ７（登録商標）プロセッサ、Ｉｎｔｅｌ  Ｘｅｏｎ（登録商標）プロセッサ、又はＡＲＭ（登録商標）プロセッサのいずれかの実装などの、いずれかの従来の汎用シングルチップ又はマルチチッププロセッサとすることができる。また、プロセッサは、ＯＭＡＰプロセッサ、Ｓｎａｐｄｒａｇｏｎ（登録商標）などのＱｕａｌｃｏｍｍ（登録商標）プロセッサ、又はデジタルシグナルプロセッサ又はグラフィクスプロセッサを含む、いずれかの従来の特殊用途プロセッサとすることもできる。通常、プロセッサは、従来のアドレスライン、従来のデータライン、及び１又はそれ以上の従来の制御ラインを有する。
【００１６】
本システムは、詳述するような様々なモジュールで構成される。理解できるように、これらのモジュールの各々は、様々なサブルーチン、手順、定義文及びマクロを含む。便宜上、ソフトウェア／論理／モジュールの各々の説明を用いて好ましいシステムの機能を説明する。従って、ソフトウェア／論理／モジュールの各々が実施する処理は、任意に他のソフトウェア／論理／モジュールの１つに再分配することも、単一のソフトウェア処理／論理フロー／モジュールに組み合わせることも、又は、例えば共有可能な動的リンクライブラリ内で利用できるようにすることもできる。
【００１７】
本システムは、Ｃ＃、Ｃ、Ｃ＋＋、ＢＡＳＩＣ、Ｐａｓｃａｌ、又はＪａｖａなどのあらゆる従来のプログラミング言語で書くことができ、従来のオペレーティングシステム上で実行することができる。Ｃ＃、Ｃ、Ｃ＋＋、ＢＡＳＩＣ、Ｐａｓｃａｌ、Ｊａｖａ及びＦＯＲＴＲＡＮは、多くの市販のコンパイラを使用して実行可能コードを作成できる業界標準プログラミング言語である。システムは、Ｐｅｒｔ  Ｐｙｔｈｏｎ又はＲｕｂｙなどのインタープリタ型言語を使用して書くこともできる。これらは一例にすぎず、限定を意図するものではない。
【００１８】
当業者であれば、本明細書に開示する実施形態に関連して説明する様々な例示的論理ブロック、モジュール、回路及びアルゴリズムステップを、電子ハードウェア、コンピュータソフトウェア、又はこれらの組み合わせとして実装できることをさらに理解するであろう。上記では、このハードウェアとソフトウェアの互換性を明確に示すために、様々な例示的構成要素、ブロック、モジュール、回路及びステップを一般にこれらの機能面から説明した。このような機能をハードウェアとして実装するか、それともソフトウェアとして実装するかは、特定のアプリケーション及びシステム全体に課せられる設計制約に依存する。当業者であれば、これらの説明した機能を、各特定の用途に応じた様々な方法で実装できるが、このような実装の決定により本開示の範囲からの逸脱が生じると解釈すべきではない。
【００１９】
本明細書に開示する実施形態に関連して説明する様々な例示的論理ブロック、モジュール及び回路は、汎用プロセッサ、デジタルシグナルプロセッサ（ＤＳＰ）、特殊用途向け集積回路（ＡＳＩＣ）、フィールドプログラマブルゲートアレイ（ＦＰＧＡ）又はその他のプログラマブル論理装置、離散ゲート又はトランジスタ論理回路、離散ハードウェアコンポーネント、又は本明細書で説明する機能を実行するように設計されたこれらのあらゆる組み合わせと共に実装又は実行することができる。汎用プロセッサは、マイクロプロセッサとすることができるが、いずれかの従来のプロセッサ、コントローラ、マイクロコントローラ又は状態機械とすることもできる。プロセッサは、ＤＳＰとマイクロプロセッサの組み合わせなどのコンピュータ装置の組み合わせ、複数のマイクロプロセッサ、ＤＳＰコアと１又はそれ以上のマイクロプロセッサの併用、又は他のいずれかのこのような構成として実装することもできる。
【００２０】
１又はそれ以上の実施形態例では、説明する機能及び方法を、ハードウェア、ソフトウェア、又はプロセッサ上で実行されるファームウェア、又はこれらのいずれかの組み合わせで実装することができる。ソフトウェアで実装する場合、これらの機能をコンピュータ可読記憶媒体に記憶することも、又はコンピュータ可読記憶媒体上の１又はそれ以上の命令又はコードとしてコンピュータ可読記憶媒体を介して送信することもできる。コンピュータ可読媒体は、コンピュータプログラムを１つの場所から別の場所に容易に転送できるようにするあらゆる媒体を含むコンピュータ記憶媒体及び通信媒体の両方を含む。しかしながら、コンピュータ可読記憶媒体は搬送波ではなく、コンピュータがアクセスできるいずれかの利用可能な媒体とすることができる。限定ではなく一例として、このようなコンピュータ可読記憶媒体は、ＲＡＭ、ＲＯＭ、ＥＥＰＲＯＭ、ＣＤ−ＲＯＭ又はその他の光学ディスク装置、磁気ディスク装置又はその他の磁気記憶装置、又は所望のプログラムコードをコンピュータがアクセスできる命令又はデータ構造の形で記憶するために使用できる他のいずれかの媒体を含むことができる。また、あらゆる接続を適切にコンピュータ可読媒体と呼ぶこともできる。例えば、同軸ケーブル、光ファイバケーブル、ツイストペア、デジタル加入者回線（ＤＳＬ）、又は赤外線、無線及びマイクロ波などの無線技術を用いて、ウェブサイト、サーバ又はその他の遠隔ソースからソフトウェアを送信する場合、これらの同軸ケーブル、光ファイバケーブル、ツイストペア、ＤＳＬ、又は赤外線、無線及びマイクロ波などの無線技術は媒体の定義に含まれる。本明細書で使用できるディスク（ｄｉｓｋ）及びディスク（ｄｉｓｃ）は、コンパクトディスク（ＣＤ）、レーザーディスク、光学ディスク、デジタル多機能ディスク（ＤＶＤ）、フロッピーディスク及びＢｌｕｅ−ｒａｙディスクを含み、通常、ディスク（ｄｉｓｋ）は、データを磁気的に再生するものであり、ディスク（ｄｉｓｃｓ）は、データをレーザーで光学的に再生するものである。これらの組み合わせも、コンピュータ可読媒体の範囲に含めるべきである。
【００２１】
上述の説明では、本明細書に開示するシステム、装置及び方法の特定の実施形態について詳述した。しかしながら、上述の説明が文字ではいかに詳述されているように見えても、これらのシステム、装置及び方法は多くの方法で実施できると理解されたい。やはり本明細書に示すように、本発明のいくつかの特徴又は態様を説明する際に特定の専門用語を使用していても、これらの用語を、その用語が関連する技術の特徴又は態様のいずれかの特定の特性を含むことに限定されるように本明細書で再定義していることを意味するものであると捉えるべきではない。
【００２２】
当業者であれば、説明する技術の範囲から逸脱することなく、様々な修正及び変更を行うことができると理解するであろう。このような修正及び変更は、実施形態の範囲に含まれることが意図されている。当業者であれば、１つの実施形態に含まれる部分を他の実施形態でも代用することができ、図に示す実施形態からの１又はそれ以上の部分を、図に示す他の実施形態と共にあらゆる組み合わせで含めることができると理解するであろう。例えば、本明細書で説明及び／又は図示する様々な構成要素のいずれかを組み合わせ、置き換え、又は他の実施形態から省くことができる。
【００２３】
本明細書におけるほぼあらゆる複数形及び／又は単数形の用語の使用に関しても、当業者であれば、文脈及び／又は用途に適するように複数形から単数形に、及び／又は単数形から複数形に置き換えることができる。本明細書では、明瞭化のために様々な単数形／複数形の置換を明確に示すことができる。
【００２４】
一般に、当業者であれば、本明細書で使用する用語は、一般に「非限定的（ｏｐｅｎ）な」用語として意図されている（例えば、「含む（ｉｎｃｌｕｄｉｎｇ）」という用語は、「含むけれどもそれに限定されない」と解釈すべきであり、「有する（ｈａｖｉｎｇ）」という用語は、「少なくとも有する」と解釈すべきであり、「含む（ｉｎｃｌｕｄｅｓ）」という用語も、「含むけれどもそれに限定されない」と解釈すべきであり、その他も同様である）と理解するであろう。当業者であれば、導入された請求項の記載において特定の数が意図される場合、このような意図はその請求項中に明確に記載され、このような記載がない場合は、そのような意図も存在しないことをさらに理解するであろう。例えば、理解を促すために、以下に添付する請求項では、「少なくとも１つの（ａｔ  ｌｅａｓｔ  ｏｎｅ）」及び「１又はそれ以上の（ｏｎｅ  ｏｒ  ｍｏｒｅ）」という導入句を使用して請求項の記載を導入することがある。しかしながら、このような句を使用しているからといって、「ａ」又は「ａｎ」という不定冠詞による請求項の記載を導入した場合に、たとえ「１又はそれ以上の」又は「少なくとも１つの」という導入句と、「ａ」又は「ａｎ」という不定冠詞が同じ請求項内に含まれているとしても、このような導入された請求項の記載を含むいずれかの特定の請求項がこのような記載を１つしか含まない実施形態に限定されることを意味すると解釈すべきではなく（例えば、「ａ」及び／又は「ａｎ」は、通常、「少なくとも１つの」又は「１又はそれ以上の」を意味すると解釈すべきである）、定冠詞を使用して請求項の記載を導入する場合にも同じことが当てはまる。また、導入された請求項の記載に特定の数が明示されている場合でも、当業者であれば、このような記載は、通常、少なくとも記載されている数を意味すると解釈すべきであることを認識するであろう（例えば、他に修飾語を使用せずに「２つの記載」とだけ記載されている場合、通常は少なくとも２つの記載、或いは２又はそれ以上の記載を意味する）。さらに、「Ａ、Ｂ及びＣなどのうちの少なくとも１つ」に類する規定が使用されている場合、一般にこのような構造は、当業者がこの規定を理解するであろう意味で意図されたものである（例えば、「Ａ、Ｂ及びＣのうちの少なくとも１つを有するシステム」は、Ａのみ、Ｂのみ、Ｃのみ、ＡとＢの両方、ＡとＣの両方、ＢとＣの両方、及び／又はＡとＢとＣ全てなどを有するシステムを含むが、これらに限定されるわけではない）。「Ａ、Ｂ又はＣなどのうちの少なくとも１つ」に類する規定が使用されている場合、一般にこのような構造は、当業者がこの規定を理解するであろう意味で意図されたものである（例えば、「Ａ、Ｂ又はＣのうちの少なくとも１つを有するシステム」は、Ａのみ、Ｂのみ、Ｃのみ、ＡとＢの両方、ＡとＣの両方、ＢとＣの両方、及び／又はＡとＢとＣ全てなどを有するシステムを含むが、これらに限定されるわけではない）。当業者であれば、２又はそれ以上の選択的な用語を示す事実上全ての離接語及び／又は離接句は、説明内に存在するか、請求項内に存在するか、それとも図面内に存在するかに関わらず、これらの用語のうちの１つ、これらの用語の���ちのいずれか、又は両方の用語を含む可能性を意図すると理解すべきであることをさらに理解するであろう。例えば、「Ａ又はＢ」という句は、「Ａ」又は「Ｂ」又は「ＡとＢ」の可能性を含むと理解されよう。本明細書には、様々な態様及び実施形態を開示しているが、他の態様及び実施形態も明らかである。本明細書に開示する様々な態様及び実施形態は例示を目的としたものであり、限定を意図するものではない。
【００２５】
ここで図１を参照すると、例示的なシステム１０が、例示的な実施形態では高品位ＴＶ及び／又は（「スマート」ＴＶなどの）インターネット対応コンピュータ化ＴＶなどのテレビ（ＴＶ）である少なくとも１つの消費者電子（ＣＥ）装置１２を含む。しかしながら、本原理は、ＣＥ装置１２が、無線及び／又は携帯電話機、セットトップボックス、デジタルビデオレコーダ、（「スマートフォン」などの）コンピュータ化された電話機（例えば、インターネット対応タッチ式携帯電話機）、ラップトップコンピュータ、デスクトップコンピュータ、タブレットコンピュータ、ＰＤＡ、ビデオゲーム機、ビデオプレーヤ、パーソナルビデオレコーダ、（「スマートウォッチ」などの）コンピュータ化された時計、音楽プレーヤなどであってもよいと認識する。いずれにせよ、ＣＥ装置１２は、本原理を実施するように（例えば、本原理によるＥＰＧを提示するように）構成されていると理解されたい。
【００２６】
より具体的にＣＥ装置１２を説明すると、この装置は、タッチ式ディスプレイ１４、音声を出力するための１又はそれ以上のスピーカ１６、及び本原理による電子番組ガイド（ＥＰＧ）の制御及び／又はその要素の選択などのＣＥ装置１２の制御を行うプロセッサ２０に入力及び／又はコマンド（聴取可能なコマンドなど）を提供するためのオーディオ受信機／マイク、キーパッド、タッチパッドなどの少なくとも１つのさらなる入力装置１８を含む。ＣＥ装置１２は、プロセッサ２０の制御下でインターネット、ＷＡＮ、ＬＡＮなどの少なくとも１つのネットワーク２４を介して通信するためのネットワークインターフェイス２２も含み、プロセッサ２０は、本明細書に開示するようなＥＰＧの提示を含むＣＥ装置１２の制御を行うと理解される。さらに、ネットワークインターフェイス２２は、例えば、有線又は無線モデム又はルータ、又は無線電話トランシーバなどのその他の適当なインターフェイスとすることもできる。
【００２７】
これに加えて、ＣＥ装置１２は、ＣＥ装置１２上にコンテンツを提示するためのセットトップボックス又はＢｌｕｅ  Ｒａｙディスクプレーヤなどのコンポーネント装置から入力（例えばＡＶコンテンツ）を受け取るための、ＵＳＢ又はＨＤＭＩポートなどのオーディオビデオインターフェイス２６、及びディスク型記憶装置又は固体記憶装置などの有形コンピュータ可読記憶媒体２８を含むこともできる。媒体２８は、本原理によるプロセッサ２０が実行するための、本明細書で説明するソフトウェアコード及び／又は論理を記憶すると理解される。さらに、ＣＥ装置１２は、少なくとも１つの衛星から地理的位置情報を受け取り、この情報をプロセッサ２０に提供して、本原理による最新情報及び／又はリアルタイム情報を（ＣＥ１２が配置されている範囲などの）特定の地理的範囲に提供することなどの本原理を実施するように構成されたＴＶチューナ３０及びＧＰＳ受信機（明瞭化のために図示せず）を含むこともできるが、本原理によればＧＰＳ受信機以外の別の好適な位置受信機を使用することもできると理解されたい。
【００２８】
さらに、ＣＥ装置１２は、ＣＥ装置１２に関連付けられてＣＥ装置１２に（例えばプロセッサ２０に）入力（コマンドなど）を提供することによりＣＥ装置１２を制御するように構成されたリモートコマンダ（ＲＣ）３６と通信するための送信機／受信機３４も含むと理解されたい。従って、ＲＣ３６も、送信機／受信機３４を通じてＣＥ装置１２と通信するための送信機／受信機３８を有する。ＲＣ３６は、キーパッド又はタッチスクリーンディスプレイなどの入力装置４０、ＲＣ３６を制御するためのプロセッサ４２、及びディスク型記憶装置又は固体記憶装置などの有形コンピュータ可読記憶媒体４４も含む。図示してはいないが、いくつかの実施形態では、ＲＣ３６が、本原理によるＣＥ装置１２に入力／コマンドを提供するために使用できるタッチ式ディスプレイ画面及びマイクを含むこともできる。
【００２９】
ここで、引き続き図１を参照しながらシステム１０のサーバ４６について説明する。サーバ４６は、少なくとも１つのプロセッサ４８、ディスク型記憶装置又は固体記憶装置などの少なくとも１つの有形コンピュータ可読記憶媒体５０、及びプロセッサ４８の制御下でＣＥ装置１２（さらには簡単に説明するケーブルヘッドエンド５４）とのネットワーク２４を介した通信を可能にする少なくとも１つのネットワークインターフェイス５２を含み、実際に、サーバ４６は、ＣＥ装置１２、サーバ４６及びケーブルヘッドエンド５４間の通信を容易にすることができる。なお、ネットワークインターフェイス５２は、例えば、有線又は無線モデム又はルータ、或いは無線電話トランシーバなどのその他の適当なインターフェイスとすることもできる。従って、いくつかの実施形態では、サーバ４６をインターネットサーバとすることができ、このサーバ４６が、本原理によるＥＰＧ上に提示するための最新情報（例えば、ケーブルヘッドエンド５４から受け取ったデータと併せて）の送信を容易にして実際にこの情報を提供することができ、例示的な実施形態では、必要に応じてＣＥ装置１２がサーバ４６を介して「クラウド」環境にアクセスできるような「クラウド」機能を含んでこれを実行することができる。また、プロセッサ２０、４２及び４８は、本明細書で開示するような、これらのプロセッサのそれぞれの装置のための論理及び／又はソフトウェアコードを実行するように構成される。
【００３０】
上述したヘッドエンド５４について説明すると、特に図１では、このヘッドエンド５４をケーブルヘッドエンドとして表記しているが、衛星ヘッドエンドであってもよいと理解されたい。ヘッドエンド５４は、（有線又は無線接続を通じて）例えばクローズドネットワークを介してＣＥ装置１２及び／又はサーバ４６と通信すると理解され、さらにはネットワーク２４などのワイドエリアネットワーク及び／又はオープンネットワークを介してＣＥ装置１２及び／又はサーバ４６と通信できるように、ヘッドエンド５４自体がネットワークインターフェイス（図示せず）を含むこともできる。さらに、ヘッドエンド５４を有線又は無線で非インターネットサーバに接続すること、及び／又は任意に非インターネットサーバと統合することもできると理解されたい。いずれにせよ、ヘッドエンド５４は、本原理によるＣＥ装置１２へのＥＰＧ情報の送信を容易にすることができると理解されたい。
【００３１】
ここで図２を参照すると、ＣＥ装置１２などのＣＥ装置により実行される、それぞれのコンテンツに関する最新の及び／又はリアルタイムのオーディオビデオ（ＡＶ）コンテンツ情報をＥＰＧ上に提示するための論理の例示的なフローチャートを示している。この論理は、ブロック６０から開始して、ＣＥ装置１２上に提示されるＥＰＧが、本原理によってＦａｃｅｂｏｏｋ、Ｔｗｉｔｔｅｒ、Ｉｎｓｔａｇｒａｍ、ＬｉｎｋｅｄＩｎ、Ｐｉｎｔｅｒｅｓｔ、Ｇｏｏｇｌｅ＋などの少なくとも１つのソーシャルネットワーキングサービスからの情報に関連付けられ、リンクされ、及び／又はこれらの情報を提示できるように、１又はそれ以上のソーシャルネットワーキングアカウントのためのユーザアカウント情報（例えばログイン情報）を受け取る。この論理は、やはりブロック６０において、アカウント情報が提供されたソーシャルネットワーキングアカウントの１つ又はそれ以上にサインインした後に、本原理によるＥＰＧ情報に含めるべきデータを受け取り、抽出し、及び／又は別様に決定することができる。
【００３２】
論理は、次にブロック６２に進み、（例えば、ＣＥ装置及び／又は関連するセットトップボックスの電源が入った時に）ＣＥ装置のディスプレイ上にＥＰＧを提示するためのユーザ入力を受け取る。論理は、次にブロック６４に進み、本原理によるＥＰＧ上に含めるべき１又はそれ以上のＡＶコンテンツのための１又はそれ以上の種類の現在の、最新の、及び／又はリアルタイムの情報（例えば、ＥＰＧ上の複数のＡＶコンテンツの各々のためのパネル／エントリに含めるべき複数のＡＶコンテンツの各々のためのリアルタイム情報）を（サーバ及び／又はケーブルヘッドエンドなどから）収集する。この論理は、やはりブロック６４においてＥＰＧを提示する。その後、論理はブロック６６に進み、ＥＰＧ上に提示されたリアルタイム情報の少なくとも一部に関する１又はそれ以上の通知及び／又は情報更新を受け取り、或いはこれを別様に収集及び／又は決定した後に、ブロック６８において、ＣＥ装置上に提示されたＥＰＧを更新し、及び／又は後でＥＰＧ上に提示できるようにＣＥ装置の記憶媒体にローカルに記憶されたＥＰＧ情報及び／又はデータを更新する。
【００３３】
図２の説明を続けると、論理は、ブロック６８の後にブロック７０に進み、例えば、ＣＥ装置上に提示されているＡＶコンテンツ及び／又はＥＰＧに提示されているＡＶコンテンツ情報の特定の部分に関する１又はそれ以上のユーザコマンド、コメント、いいね！、よくないね！など（及び本明細書に開示するようなさらに他のユーザ入力情報など）を受け取り、この情報及び／又はデータをケーブルヘッドエンド及び／又はサーバに提供して、ケーブルヘッドエンド及び／又はサーバにより保持され本原理によるＣＥ装置に提供される統計情報及び／又はリアルタイム情報に組み入れられるようにすることもできる。例えば、ＣＥ装置に関連するＲＣは、専用のＦａｃｅｂｏｏｋの「いいね！」ボタンを有することができ、このボタンを選択すると、視聴者が現在提示されているＡＶコンテンツを「いいね！」と思っていることを示す入力がＣＥ装置のプロセッサに提供され、その後このプロセッサが、この入力をＦａｃｅｂｏｏｋアプリケーションに提供してユーザのＦａｃｅｂｏｏｋプロファイル及び／又はニュースフィード上で公開することができる。いずれにせよ、論理は、やはりブロック７０において、他の人々のコメント、いいね！及び／又はよくないね！を本原理によって（例えばＥＰＧ上で）見るためのユーザ入力を受け取ることができる。
【００３４】
論理は、次にブロック７２に進み、特定のＡＶコンテンツに対するソーシャルネットワーキングのコメント、特定のＡＶコンテンツのためのいいね！及びよくないね！などの、要求された情報タイプのためのあらゆる要求された情報及び／又は全ての最新情報（例えば、リアルタイム情報、動的に更新された情報）を提示する。論理は、次にブロック７４に移り、（例えば、提示されているＥＰＧ上に示された、今後放送される及び／又はすでにＣＥ装置がケーブルヘッドエンド又はサーバから別様に利用できるようになっているＡＶコンテンツなどの）ＡＶコンテンツを録画するために他のＣＥ装置において設定された現時点での録画数及び／又は録画コマンド数に関する情報を提示するための要求を受け取る。次に、論理は、ブロック７６において、要求された録画情報を提示して終了する。
【００３５】
引き続き図３を参照しながら詳細に説明すると、この図には、本原理によるサーバ及び／又はケーブルヘッドエンドなどにより実行できる例示的な論理を示している。この論理は、ブロック８０から開始し、本原理によるＥＰＧ上に提示された１又はそれ以上のＡＶコンテンツに関する最新情報などを含む（例えば要求された）ＥＰＧデータ及び／又は情報を１又はそれ以上のＣＥ装置に提供する。論理は、次にブロック８２に進み、それぞれのＣＥ装置の各々における１又はそれ以上のＡＶコンテンツの視聴に関するデータ及び／又は通知を１又はそれ以上のＣＥ装置から受け取る。これらのデータ及び／又は通知は、視聴者がサーバ／ヘッドエンドを介してＣＥ装置にストリーミング及び／又は提供されている１つのＡＶコンテンツを視聴することから別のＡＶコンテンツに変更したかどうか、及びユーザがコンテンツを「いいね！」と思い、提供されたＥＰＧを操作することにより、ＣＥ装置及び／又はこれに関連するセットトップボックス／ＤＶＲを、ＡＶコンテンツを少なくとも部分的に録画するように設定したかどうかなどに関するものであると理解される。これらのデータ及び／又は通知は、評価、コメント、流行などに関するものなどの、本明細書に開示するさらに他のデータ及び／又は情報にも関連し、及び／又はこれらを含むと理解される。
【００３６】
いずれにせよ、論理は、ブロック８２の後にブロック８４に進み、１又はそれ以上の通知が受け取られたＡＶコンテンツの１又はそれ以上のＡＶコンテンツパラメータ及び／又は現在のデータ指標、並びにユーザの行動及び／又はＥＰＧ又はＣＥ装置の操作の追跡に関する他のいずれかの情報を調整し、例えばサーバ／ヘッドエンドと通信しているＣＥ装置がこのような情報を求める要求をサーバに行った場合には常に容易に情報にアクセスできるように、これらの（更新された）パラメータ及び／又は指標をサーバ及び／又はヘッドエンドのローカル記憶媒体上に記憶することもできる。その後、図３の論理は、ブロック８６において、ブロック８４において行った調整を反映するように更新した最新情報を（例えば、ブロック８２において受け取られる通知を提供した１又はそれ以上のＣＥ装置を含む、又はそれ以外の）１又はそれ以上のＣＥ装置に提供し、従って本原理によるほぼリアルタイムの情報更新を行って終了する。
【００３７】
引き続き図４〜図１０を参照しながら詳細に説明すると、これらの図には、本原理によるＣＥ装置上に提示可能な例示的な最新情報ＵＩを示している。まず、図４には最新情報ＵＩ９０を示しており、このＵＩ９０は、ＲＣ上のガイドボタンの選択などに応答してさらなるユーザ入力を伴わずに自動的に提示できると理解されたい。ＵＩ９０は、現在選択されているＡＶコンテンツ（例えば、このＡＶコンテンツは、ＣＥ装置上のＵＩ９０の提示機能を呼び出す前に提示されている）からのビデオを提示する現在のビデオ部分９２を左上隅に含む。時刻及び日付などの現在時刻情報を含むことができる現在時刻情報エリア９４も示される。
【００３８】
これに加えて、ＵＩ９０は、ＡＶコンテンツ情報をグリッド形式及び／又はパネルレイアウト形式などで提示するチャンネル及びＡＶコンテンツ部分９６も含む。図４から分かるように、部分９６は、その左側部分にチャンネルのリストを含み、特定の時間にこれらのチャンネルで提供されている又は提供される予定のＡＶコンテンツを示す少なくとも１つのパネル９８も含む。
【００３９】
従って、一例として、図４から分かるように、２０１３年１０月８日の午後４時から午後５時の間には、トラベルチャンネルでＡＶコンテンツＸＹＺが提供されている。やはり図４から分かるように、少なくとも１つのパネル９８（及び図４に示すように、全てのパネル９８）は、ソーシャルネットワーキングサービスを使用した、それぞれのパネルのＡＶコンテンツに関連するソーシャルネットワーキング機能を開始及び／又は実行するためにユーザが選択可能なソーシャルネットワーキングサービスに関連するアイコンを含むことができるソーシャルネットワーキングセレクタ要素１００を含むことができる。例えば、ＲＣを用いてカーソルを操作してセレクタ要素１００を選択することにより、セレクタ要素１００が選択されたパネル９８に関連する特定のＡＶコンテンツに対してコメントするためのテキストをユーザが入力できるオーバレイコメントボックスを、さらなるユーザ入力を伴わずに自動的に提示させることができる。次に、オーバレイコメントボックス上の提出セレクタを選択することにより、コメントを共有することができる。コメントは、あるＣＥ装置上でコメントを行ったユーザの友人などが、友人のＣＥ装置上に提示された最新情報ＥＰＧ上でこのコメントを閲覧できるように、例えば、ソーシャルネットワーキングサービス自体を介して公開されるようにすること、及び／又は本原理によるＣＥ装置上に提示されたＥＰＧ上に後から提示されるようにすることによって共有することができる。
【００４０】
パネル９８の少なくとも１つは、ソーシャルネットワーキングセレクタ要素１００に加えて最新情報セレクタ要素１０２を含むこともでき、このセレクタ要素１０２を選択すると、選択されたセレクタ要素１０２が提示されているパネルのそれぞれのＡＶコンテンツに関連する最新情報を提示させることができる（例えば、最新情報は、図５に示して簡単に説明したようなオーバレイスクリーン及び／又は別のＵＩ上などに提示することができる）。
【００４１】
引き続き図４を参照すると、ＵＩ９０は、例えばＵＩ９０上で強調表示又は選択されているパネル９８に関連する特定のＡＶコンテンツのための詳細な最新情報部分１０４も含み、従ってＲＣなどを用いてＵＩ９０上で別のパネル９８がナビゲートされ又は別様に選択されたことに応答して、動的かつ自動的に変化することができる。この事例では、ＸＹＺというＡＶコンテンツに対応するパネル９８の少なくとも一部が網掛けされて、（例えば、ＸＹＺというＡＶコンテンツパネル９８に移動したカーソルを使用して）現在この部分が選択されていることを示しており、従って部分１０４には、この選択されているＸＹＺというＡＶコンテンツパネル９８のための詳細な最新情報が提示されていると理解することができる。部分１０４に提示される詳細な最新情報は、ＡＶコンテンツのタイトル、そのＡＶコンテンツに関連するアイコン又はサムネイル画像、ＸＹＺというＡＶコンテンツを録画するために他のＣＥ装置で設定されている現時点での録画インスタンス数の表示、現在ＸＹＺというＡＶコンテンツを提示している現時点における他のＣＥ装置の数の表示、ＸＹＺというＡＶコンテンツがトラベルチャンネルで提供される予定時間、リアルタイムに更新されるユーザ入力による評価などに基づいて決定された現時点におけるＡＶコンテンツＸＹＺの評価などの情報、及び必要に応じてＸＹＺというＡＶコンテンツに関連するさらなる情報を提示させるために選択可能な（例えば、図５のＵＩ上に示すもののような）最新情報セレクタ要素１０６を含むことができる。
【００４２】
ここで、上述した図５を参照すると、ＸＹＺというＡＶコンテンツのための最新情報セレクタ要素（例えば、ＸＹＺパネル９８の最新情報セレクタ要素又はセレクタ要素１０６の一方又は両方）がＵＩ９０から選択されたことなどに応答してさらなるユーザ入力を伴わずに自動的に提示できる詳細な最新情報ＵＩ１１０を示している。ＵＩ１１０上には、例えば上述した部分９２及びエリア９４にそれぞれ類似することができる現在のビデオ部分１１２及び現在時刻情報エリア１１４が示されている。ＵＩ１１０の上部における部分１１２及びエリア１１４の隣には、本原理による、選択されたＵＩパネル（又はパネル上の特定のセレクタ要素）に関連する特定のＡＶコンテンツのための情報部分１１６が存在する。部分１１６は、ＡＶコンテンツのタイトル、そのＡＶコンテンツに関連するアイコン又はサムネイル画像、そのＡＶコンテンツが提供される予定時間、及びＡＶコンテンツのＡＶコンテンツプロバイダが提供した評価などの、選択されたＡＶコンテンツに関する情報を含むことができる。
【００４３】
これに加えて、ＵＩ１１０は、本原理による、リアルタイム又はほぼリアルタイムに更新される及び／又は更新可能な、ＡＶコンテンツに関連する様々な種類の最新情報を含む詳細情報部分１１８も含む。部分１１８は、この部分１１８が対象のＡＶコンテンツに関する詳細な最新情報に関連するものであることを示すタイトル１２０、及びＵＩ１１０が提示された現在時刻を反映して、部分１１８上に提示されている情報が直近の利用可能な情報に基づく最新又はほぼ最新のものであることを示す時計などのアイコン１２２を含むことができる。さらに、部分１１８上には、少なくとも１つの情報表示１２４が提供され、これらの各々は、それぞれのパラメータ又は指標が関連するものを示し、任意にそれぞれの特定の情報を象徴する関連するアイコン又は画像を含む。
【００４４】
従って、例えばＸＹＺというＡＶコンテンツを提示している現在のＣＥ装置数（例えば視聴カウント）の表示１２６は、数字（この例では１２４９人）と、多くの人々が自分のＣＥ装置上でＸＹＺというＡＶコンテンツを視聴していることを示すための群衆の画像／アイコン１２８とを含む。部分１１８上には、連邦通信委員会の指針及び／又はＡＶコンテンツのプロバイダが提供する評価などではなくエンドユーザの評価などに基づく現在のＡＶコンテンツの評価を、星による評価の画像／アイコン１３２と共に示す表示１３０、（例えば、ＣＥ装置に関連するユーザのソーシャルネットワーキングの友人による特定のいいね！又はよくないね！の指示を含む）ＡＶコンテンツの現時点でのいいね！及び／又はよくないね！の数を、親指を立てた又は下に向けた手の画像などのいいね！及びよくないね！を表す１又はそれ以上の画像／アイコン１３６と共に示す表示１３４、ＡＶコンテンツに関する現時点でのコメント数を、字幕ボックスの画像などのコメントを象徴する画像／アイコン１４０と共に示す表示１３８、そのＡＶコンテンツが現在流行っているかどうかを、対象のＡＶコンテンツが流行っていること、及びさらに流行り続けることを示すための左から右に徐々に長くなる上向き矢印の画像／アイコン１４４と共に示す表示１４２（例えば、逆に矢印が下を向いている場合、画像／アイコン１４４は、対象のＡＶコンテンツが次第に流行らなくなってきていることを示すことができる）、及び異なる（及び／又は別の）ＣＥ装置上において、それぞれのＣＥ装置及び／又はこれらに関連するセットトップボックス／ＤＶＲが対象のＡＶコンテンツを録画するように設定されている現時点でのインスタンス数を、この例では録画ボタンによって録画機能を示す画像／アイコン１４８と共に示す表示１４６などを含む、ＡＶコンテンツのためのさらに他の最新情報を提示することもできる。
【００４５】
引き続き図５を参照すると、この時、ＵＩ１１０は、最初はＵＩ１１０を求める要求（例えば、最新情報セレクタ要素の選択）に応答して提示されるが、ＵＩ１１０上に提供される表示及び／又は情報は、ＵＩ１１０が（例えば、提示されているディスプレイ画面から削除されずに）提示され続けている最中に時間と共に変化できると理解されたい。従って、ＵＩ１１０を提示しているＣＥ装置が、本原理によるサーバ又はヘッドエンドなどから情報更新を受け取った時には、ＵＩ１１０上に提示されている情報及び／又は表示がリアルタイムで動的に変化し、更新されることがあると理解されたい。例えば、ＵＩ１１０上に提示される、ＸＹＺというＡＶコンテンツの視聴者数の表示１２６は、ＵＩ１１０が提示されている最中に時間と共に増加又は減少することがある。同様に、他のいずれかの及び／又は全ての表示及び情報も、これらの特定の種類の情報に関する情報更新がＣＥ装置によって受け取られた時、及び／又は（例えば、サーバ及び／又は「クラウド」などのウェブサイト又は遠隔記憶位置などで）このような情報更新が利用可能になり、ＣＥ装置がアクセスできるようになった時に、ユーザ入力を伴わずに動的に変化することができる。実際に、図４〜図１０のＵＩのいずれかに提示できる本明細書で説明したＡＶコンテンツのための最新情報のいずれか及び／又は全ても、本明細書で説明したようにそれぞれのＵＩ上で同様に更新され、動的に変化することができる。
【００４６】
従って、本原理による最新情報ＥＰＧを提示しているＣＥ装置は、本明細書で説明したような情報更新を受け取ることができ、及び／又はＣＥ装置に記憶されていない場合には、（例えば、サーバコンピュータ可読記憶媒体において、ウェブサイトにおいて、ＣＥ装置がアクセスできるソーシャルネットワーキングサービスなどを介して）この更新にアクセスすることにより情報を決定することができると理解されたい。さらに、いくつかの実施形態では、ハイパーテキスト転送プロトコル（ＨＴＴＰ）アプリケーションプログラミングインターフェイス（ＡＰＩ）を使用して、サーバから少なくとも部分的にリアルタイム情報を通信することができる。例えば、ＨＴＴＰ  ｒｅｐｒｅｓｅｎｔａｔｉｏｎａｌ  ｓｔａｔｅ  ｔｒａｎｓｆｅｒ（ＲＥＳＴ）プロトコルを使用することができ、従ってｊａｖａｓｃｒｉｐｔコマンドなどをサーバに提供することができ、さらにサーバは、ｊａｖａｓｃｒｉｐｔ  ｏｂｊｅｃｔ  ｎｏｔａｔｉｏｎ（ＪＳＯＮ）で応答することができる。
【００４７】
ここで図６を参照すると、詳細な最新情報ＵＩ１５０（例えばＥＰＧ）を示している。なお、例えばＵＩ１５０は、図１１を参照してさらに説明するようなユーザにより設定されたＥＰＧ設定などに基づき、図４のＵＩ９０の代わりにＲＣ上のガイドボタンが選択されたことなどに応答してさらなるユーザ入力を伴わずに自動的に提示することができる。いずれにせよ、ＵＩ１５０は、上述した部分９２及びエリア９４にそれぞれ類似することができる現在のビデオ部分１５２及び現在時刻情報エリア１５４を含むことができる。ＥＰＧ上で強調表示又は選択された（パネル１５８の背景を網掛けすることによって示す）パネル１５８に関連する特定のＡＶコンテンツに関する詳細な最新情報部分１５６も示される。必要に応じて、図示のように、上部１５６は、対象のＡＶコンテンツのための最新情報の少なくとも１つの表示を含むことができ、この例では、ＡＶコンテンツの現在の視聴カウント（及び／又はチャンネル自体の日々の視聴カウントなど）、現在の評価、現在のいいね！の数、現在のコメント数、そのＡＶコンテンツが流行っているかどうか、及び現時点でＡＶコンテンツが録画されているインスタンス数の表示を含む。
【００４８】
これに加えて、詳細な最新情報ＵＩ１５０は、ＵＩ１５０上に提示されている様々なＡＶコンテンツ情報パネル１６０のための、上述したＵＩ９０よりも相対的に詳細なレベルの情報を含むこともできる。パネル１６０の各々は、それぞれのパネル１６０のＡＶコンテンツの現在の視聴カウント、現在の評価、現在のいいね！の数、現在のコメント数、それぞれのパネル１６０に関連するＡＶコンテンツが流行っているかどうか、及びそれぞれのパネル１６０に関連するＡＶコンテンツが現時点で録画されているインスタンス数の表示のうちの１又はそれ以上、及び本明細書で説明した他のいずれかの表示を含むことができる。さらに、パネル１６０のうちの少なくとも１つは、それぞれのパネル１６０に関連するＡＶコンテンツのＡＶコンテンツタイトル１６２に加え、図５のＵＩ１１０を提示することなどの、それぞれのセレクタ要素１６４に関連するＡＶコンテンツに関するさらに多くの最新の情報を提示させるために選択できる詳細情報セレクタ要素１６４を含むことができる。
【００４９】
引き続き図６を参照して分かるように、このＵＩ１５０を使用して、上述した最新情報表示に加え、ＵＩ１５０上に示される様々なチャンネル自体のための最新のリアルタイムで動的に更新された情報を含むさらに他の最新情報を伝えることもできる。従って、例えば、トラベルチャンネルのためのチャンネルエリア１６６は、対象のチャンネルで提供されるいずれかのＡＶコンテンツを１日のうちのいずれかの時点で視聴したＣＥ装置の累積視聴カウントの表示、及び対象のチャンネルで提供される１又はそれ以上のＡＶコンテンツの合計録画数を示す累積録画数の表示を含む。このチャンネルでは、例えば、ユーザが決定した評価、チャンネルのいいね！又はよくないね！の数、チャンネルに関するコメント数、チャンネルが流行っているかどうか、などを含むさらに他の最新情報表示を提供することもできる。
【００５０】
また、図７に進む前に、例えば最新情報が利用可能でないパネル１６０には、さらに他の情報を提示することもできると理解されたい。例えば、あるパネルが、あるチャンネルによって未だ提供されていないコンテンツに関連する場合（例えば、ＵＩ１５０上のそれぞれのパネルが、午後５時に放送される予定のＡＢＣというＡＶコンテンツ及びＧＨＩというＡＶコンテンツのためのものであり、表示されている現在時刻が未だ午後４時４２分である場合）、これらのそれぞれのチャンネルでは未だコンテンツが提供されていないので、最新の視聴カウントを提供することはできない。しかしながら、このＡＶコンテンツが受け取るであろう推定視聴カウント、推定評価、このＡＶコンテンツが流行る見込みがあるか、本原理による録画通知を受け取ったサーバなどに基づく予定録画数などの、他の情報及び／又は推定を提供することができる。
【００５１】
さらに、いくつかの実施形態では、これらの情報が、ＵＩ１５０上に示されているコンテンツをまさに提示しようとしている特定のチャンネル、又は他のいずれかのチャンネルにおける過去のＡＶコンテンツの提示に関連することができる。このような情報の表示は、ＡＶコンテンツがこれまでに受け取った、又は直近の過去の提示に関して受け取った総視聴カウント、ＡＶコンテンツのこれまでの評価、又は直近の提示に関する直近の評価、これまでのいいね！又はよくないね！、或いは直近の提示に関するいいね！又はよくないね！、全てのコメント、又は直近の提示中のみに提供されたコメントなどを含むことができる。なお、上述した１１０などの詳細な最新情報ＵＩは、あるチャンネルで将来的に放送される予定のＡＶコンテンツのための詳細情報セレクタ要素がＵＩ１５０から選択された時などに、このような推定及び／又は過去の情報を含むこともできる。
【００５２】
ここで、図７〜図１０を参照すると例示的な最新情報ＵＩを示しているが、図７〜図１０のＵＩと上述したＵＩとを識別すると、これらの図のＵＩは、様々な種類の最新情報を見るためのタブ付きフォーマットを含む。図７〜図１０を相互に参照すると、上述した部分９２及びエリア９４にそれぞれ類似することができる現在のビデオ部分１７０及び現在時刻情報エリア１７２を含む、直近の及び／又は可能な限り最新の情報を含むように動的に更新できるＵＩ１６８を示している。また、この事例では、「今起きていること（ｈａｐｐｅｎｉｎｇ  ｎｏｗ）」を示すタイトルエリア１７４も示される。これに加えて、ＵＩ１６８は、異なる種類の最新情報を提示させるために選択できる複数のタブを含む詳細な最新情報部分１７６も含む。
【００５３】
特に図７を参照すると、有効な及び／又は現在選択されているタブとして、本原理によるリアルタイムで動的に更新できる現在の視聴カウント情報を示す最高視聴タブ１７８が示されている。図７から理解できるように、部分１７６は、現在ほとんどのＣＥ装置が視聴しているＡＶコンテンツから視聴しているＣＥ装置が少ない他のＡＶコンテンツまで上位から下位にランク付けされた複数のＡＶコンテンツの表示１８０を提示する。例示的な図７から理解できるように、コンテンツ１は現在の視聴カウントが最も多く、コンテンツ４は最も少なく、コンテンツ２及び３は、コンテンツ１よりも視聴カウントが少ないがコンテンツ４よりも多い。なお、コンテンツタイトル自体（例えば「コンテンツ１」）又は視聴カウントの一方又は両方などの各それぞれの表示１８０の少なくとも一部を選択すると、その部分に関連するそれぞれのＡＶコンテンツが、さらなるユーザ入力を伴わずに自動的にＣＥ装置上に提示されて、最も人気のあるＡＶコンテンツなどに即座にナビゲートされるようにすることができる。
【００５４】
ここで図８を参照すると、有効な及び／又は現在選択されているタブとして、本原理によるリアルタイムで動的に更新できる現在流行っているＡＶコンテンツ情報を示す流行タブ１８２を示している。図８から理解できるように、部分１７６は、最も流行っているものから最も流行っていないものまで上位から下位にランク付けされたそれぞれのＡＶコンテンツを表す様々な長さのバーの形の表示１８４を提示する。なお、各それぞれの表示１８４は、「流行中」又は「下降中」などの流行を表す文字列を伴うこと及び／又は含むことができる。また、表示１８４には、一方があるソーシャルネットワーキングサービス（Ｆａｃｅｂｏｏｋなど）による流行を表し、一方が別のソーシャルネットワーキングサービス（Ｔｗｉｔｔｅｒなど）による流行を表す２つの列が存在する。それぞれのソーシャルネットワーキングサービスを表す列の代わりに、又はこれに加えて、全てのソーシャルネットワーキングサービス又はユーザが指定したソーシャルネットワーキングサービスにわたる総累積流行の列が存在することもできるが、これについては明瞭化のために示していない。いずれにせよ、例示的な図８から理解できるように、コンテンツ３が最も流行っており、コンテンツ４も流行ってはいるがコンテンツ３ほどではなく、コンテンツ１はコンテンツ４よりも流行っておらず、コンテンツ２は４つの中で最も流行っていない。さらに、コンテンツタイトル自体（例えば「コンテンツ１」）又は流行を示す部分の一方又は両方などの各それぞれの表示１８４の少なくとも一部を選択すると、その部分に関連するそれぞれのＡＶコンテンツが、さらなるユーザ入力を伴わずに自動的にＣＥ装置上に提示されて、流行っているＡＶコンテンツなどに即座にナビゲートされるようにすることができると理解されたい。
【００５５】
引き続き図９を参照しながら詳細に説明すると、有効な及び／又は現在選択されているタブとして、最大録画タブ１８６（例えば、最も期待される録画、及び／又は録画インスタンス設定以外のデータに基づく最も期待されるＡＶコンテンツの提示）を示している。従って、図９に示す部分１７６は、最も多い録画インスタンス設定から最も少ない録画インスタンス設定まで上位から下位にランク付けされた録画表示１８８を示しており、本原理によれば、この録画インスタンスをリアルタイムで動的に更新できると理解されたい。なお、各それぞれの表示１８８は、設定された録画インスタンスの総数を示すことができ、これに加えて又はこれとは別に、過去２０分以内などの（例えばユーザが決定した）事前に設定した時間内の録画設定数を示すこともできる。例示的な図９からは、コンテンツ４の録画インスタンス設定が最も多く、次にコンテンツ１のインスタンス設定が多く、次にコンテンツ３のインスタンス設定が多く、列２のインスタンス設定が最も少ないと理解することができる。最後に、コンテンツタイトル自体（例えば「コンテンツ１」）又は録画インスタンス設定を示す部分の一方又は両方などの各それぞれの表示１８８の少なくとも一部を選択すると、その部分に関連するそれぞれのＡＶコンテンツが、さらなるユーザ入力を伴わずに自動的にＣＥ装置上に提示されて、最も期待されるＡＶコンテンツなどに即座にナビゲートされるようにすることができる。
【００５６】
ここで図１０を参照すると、有効な及び／又は現在選択されているタブとして、本原理によるリアルタイムで動的に更新できる（例えばソーシャルネットワーキングの）コメント情報を示すコメントタブ１９０を示している。図１０から理解できるように、部分１７６は、コメント１９２又はその少なくとも一部を提示する。非限定的な実施形態では、部分１７６上に、各ＡＶコンテンツに関するコメント数などに基づく上位から下位までのＡＶコンテンツを、最もコメントの多いＡＶコンテンツが最上部に表示されるように（及び／又は一般大衆ではなく特にユーザのソーシャルネットワーキングの友人によるコメントが最上部又は最上部の方に表示されるように）提示することができる。なお、同じＡＶコンテンツに関連するＦａｃｅｂｏｏｋのコメントとＴｗｉｔｔｅｒのコメントを別個に提示できるように２列のコメントが存在するが、必要であれば、これらの列に加えて、又はこれらの列の代わりに、ソーシャルネットワーキングサービスに関わらず、各ＡＶコンテンツのための累積コメント列を提供することもできる。例えば、ＵＩ１６８を提示するＣＥ装置が人工知能ソフトウェアを使用して、異なるソーシャルネットワーキングサービスからのコメントが同じＡＶコンテンツに関するものであると判断し、対象のＡＶコンテンツに関する単一の累積列のＵＩ１６８上にこれらの両方のコメントを一緒に提示することもできる。
【００５７】
また、いくつかの実施形態では、１つのＡＶコンテンツに関するコメントが、直近のコメントが上位に提示されるように新しい順に上位から下位まで表示されるが、ユーザが定義した設定などに基づく他の事例では、コメントをランダムに又は時間順に提示することもできると理解されたい。いずれにせよ、コンテンツタイトル自体（例えば「コンテンツ１」）又はコメントエリアの一方又は両方などの各それぞれの表示１９２の少なくとも一部を選択すると、その部分に関連するそれぞれのＡＶコンテンツが、さらなるユーザ入力を伴わずに自動的にＣＥ装置上に提示されて、コメントのあったＡＶコンテンツなどに即座にナビゲートされるようにすることができる。
【００５８】
図７〜図１０に示す例を全体的に参照して分かるように、さらに他のタブを選択して、そのタブに関連する情報を提示させることもできると理解されたい。例えば、ＵＩ１６８の部分１７６には、有効な及び／又は現在選択されているタブである時に、ＡＶコンテンツプロバイダが受け取った全てのユーザ入力指示、及び／又はＡＶコンテンツプロバイダ自体が決定した人気ＡＶコンテンツに基づくこれまでで最も人気のあるＡＶコンテンツなどの、上述したデータ以外の（及び／又は上述したデータを含む）データに基づいて人気ＡＶコンテンツを提示する人気タブを含めることができる。別の例として、お気に入りタブを選択することにより、コンテンツ及び／又はチャンネルがユーザのお気に入りであることを示すユーザ入力がＣＥ装置に提供されたことに基づいて、お気に入りのＡＶコンテンツ及び／又はお気に入りチャンネルがリストされるようにすることもできる。
【００５９】
さらに、別の態様では、このお気に入りタブ（及び実際には、本明細書で説明したタブ及び／又はＵＩ／ＥＰＧのいずれか）を動的なものとすることができ、例えば、部分１７６に提示されるお気に入りを、現在放送中のユーザ入力によるお気に入りがＵＩの提示時に示されるように、時刻に基づいて変化させることができる。さらに、上述したタブのいずれかが選択されたことに応答して提示される情報を、（１又はそれ以上の種類の情報を組み合わせて単一のタブ又は提示に関連付けるようにユーザが決定した設定などに基づいて）あらゆる時点で部分１７６上に同時に提示されるように組み合わせて、最も多く視聴され最も流行っているＡＶコンテンツの表示が、そのＡＶコンテンツの録画インスタンス設定の数の表示と共に提示されるようにすることもでき、また部分１７６が、例えば視聴カウントが少なく、流行的な活動が少なく、録画インスタンス設定の数が異なる他のＡＶコンテンツのさらなる表示を含むようにすることもできる。
【００６０】
引き続き図１１を参照しながら詳細に説明すると、本原理による最新情報ＵＩ（例えばＥＰＧ）を構成するための例示的な設定ＵＩ１９４を示している。設定ＵＩ１９４は、ＵＩ１９４上に示されている設定オプションがリアルタイムＵＩ設定に関するものであることを示すタイトル１９６を含む。また、図４を参照して説明したような「標準」提示、図６を参照して説明したような詳細提示、又はカスタム提示などのＵＩ構成を選択できることを示すタイトル２００を含む第１の設定区分１９８も示される。オプション２０２の各々は、これらのオプションに関連するそれぞれのラジオボタンを使用して選択することができる。さらに、カスタム選択の下には、（例えば、カスタム選択のラジオボタンに入力を行うことにより）カスタム選択が選択される時点までグレー表示されてユーザが操作できないサブオプションボックス２０４が存在し、このボックス２０４は、カスタム選択が選択された時点でグレー表示が解除され、ユーザがＣＥ装置上に提示すべきＥＰＧのカスタム設定を構成するために操作できるようになる。
【００６１】
従って、カスタム設定は、このボックス２０４を使用して、本明細書で説明したような詳細な最新情報の全てではなく一部などを含むように設定ＵＩ１９４から直接構成することができる。例えば、ボックス２０４を操作して、ＡＶコンテンツの現時点での視聴カウント、ＡＶコンテンツが流行っているかどうか、及びＡＶコンテンツの現時点での録画設定数などを含むＵＩを提示する一方で、人々によるＡＶコンテンツの評価、ＡＶコンテンツが受け取ったいいね！及び／又はよくないね！の数、及び／又はＡＶコンテンツに関するあらゆるコメントなどに関する最新情報は提示しないようにＣＥ装置を構成することができる。
【００６２】
引き続き設定ＵＩ１９４を参照すると、上記の代わりに及び／又は上記に加えて、設定ＵＩ１９４は、本原理による最新情報ＵＩ上に提示するための特定の統計値を選択できることをユーザに示すタイトル２０８を最上部に含む特定の統計オプション区分２０６を提示することができ、それぞれのオプションの各々は、各オプションに関連する２つのラジオボタンを伴うことができる。この例示的なＵＩ１９４上に提示される各オプションの左側のラジオボタンを選択すると、その特定の統計値を最新情報ＵＩに含めるようＣＥ装置を構成することができ、同じオプションの左側のボタンを選択した後に右側のラジオボタンを選択すると、このオプションを「主要」統計値にするようにＣＥ装置を構成することができる（例えば、右側のボタンはグレー表示され、最初に左側のボタンが選択されるまで選択できない）。ＵＩ１９４は、ＵＩ１９４を提示するＣＥ装置を、ＵＩ１９４で設定されたオプションに従って最新情報ＵＩを提示するように構成するために選択できる提出ボタン２１０も含む。
【００６３】
統計値を「主要」統計値にすると、ユーザが（例えば、遠隔制御における「ガイド」ボタンの選択に応答して）ＣＥ装置上に最新情報ＵＩが提示されるように最初に要求した時に、最新情報ＵＩ上に統計／最新情報を提示するようにＣＥ装置を構成できるのに対し、主要として指定されていない統計値は、場合によっては（例えば上述した要素１０６などの）最新情報セレクタ要素などの選択のみに応答してＵＩ上に提示され、従って「低水準」ＵＩ上にしか提示されないと理解されたい。この主要として指定された統計値と主要として指定されていない統計値の違いに加えて又はその代わりに、「主要」統計値として指定されると、主要として指定されていないにも関わらず同じ最新情報ＵＩ上に提示される他の統計値と区別できるように、この主要統計値が強調表示され、太字にされ、フォントサイズ及び／又は色などが変更されることもあると理解されたい。
【００６４】
引き続き図１１を参照すると、たとえ図１１には具体的に示していなくても、例示的なＵＩ１９４は、本明細書で説明した統計値、指標、最新情報などのいずれかを最新情報ＵＩ上に提示するための又は提示しないための構成可能な設定を含むことができる。また、より大きな及び／又は一般的なＣＥ装置設定ＵＩにＵＩ１９４を組み込むこともでき、及び／又はＵＩ１９４が、本原理による最新情報及び／又はリアルタイム情報を提示するようにＵＩを構成することのみのための別個の設定ＵＩの一部を成すこともできる。
【００６５】
従って、上述の説明に基づけば、ＣＥ装置のＵＩ上に、１又はそれ以上のＡＶコンテンツ及び実際には（ＴＶなどの）チャンネルに関する現在の情報及び／又は最新情報を提示して、更新が利用可能になった時及び／又は最新情報データが変更された時に定常的に及び／又はほぼリアルタイムで動的に更新できると理解することができる。例示的な実施形態では、最新情報を提示するＡＶコンテンツを、ケーブル及び／又は衛星ヘッドエンドにより放送されるテレビ番組とすることができる。例えば、最新情報ＵＩ上のＡＶコンテンツのタイトルなどの他の情報の隣に、特定のＡＶコンテンツに関するいいね！及び／又はよくないね！の数を提示することができる。さらに、いくつかの実施形態では、最新情報ＵＩ上に提示された特定のＡＶコンテンツに関するいいね！及びよくないね！の数を、異なるソーシャルネットワーキングサービスに入力されたＡＶコンテンツのいいね！及びよくないね！の集約とすることができ、この場合、この最新情報ＵＩを提示するＣＥ装置は、このソーシャルネットワーキングサービスにアクセスできるように構成されており、従ってこのソーシャルネットワーキングサービスからのデータを受け取り及び／又は別様に取得して、いいね！及びよくないね！をこのような目的で集約することができる。しかしながら、これに加えて又はこの代わりに、ＣＥ装置において集約を行うことなく、ソーシャルネットワーキングサービス、本明細書で開示したサーバ、及び／又は本明細書で開示したヘッドエンド自体がこのようないいね！／よくないね！の情報を直接提供することもできる。
【００６６】
引き続き本原理のソーシャルネットワーキングの態様を参照すると、本明細書で開示した最新情報ＵＩを、ＣＥ装置に関連するユーザのソーシャルネットワーキングの友人から取得したデータ（例えば、１つのソーシャルネットワーキングサービス又は１つよりも多くのソーシャルネットワーキングサービスの友人から取得したデータ）のみに基づいて１又はそれ以上のＡＶコンテンツに関する最新情報を提示するように（図１１に関して説明したような設定ＵＩ又は本原理による「友人」タブなどに基づいて）さらに構成することもできる。従って、ユーザは、特定のＡＶコンテンツに関する一般大衆に基づく最新情報ではなく、ユーザのソーシャルネットワーキングの友人によって何が流行しているか、ユーザのソーシャルネットワーキングの友人が何をコメントしたか、ユーザのソーシャルネットワーキングの友人が何をいいね！又はよくないね！と思っているか、ユーザのソーシャルネットワーキングの友人のみを含む視聴カウント、ユーザのソーシャルネットワーキングの友人が設定したインスタンスのみを含む予想録画数、ユーザのソーシャルネットワーキングの友人からの入力のみに基づいて決定された評価などに基づく最新情報を見ることができる。
【００６７】
本原理によるソーシャルネットワーキングの態様に関わらず、必要であれば、本明細書で説明した最新情報ＵＩは、具体的にはソーシャルネットワーキングサービスの文脈を超えてＵＩ上でコメントを作成して見ることができるように、他のＣＥ装置上に提示された最新情報ＵＩの他のインスタンスに他のユーザなどによって直接入力されたコメントを提示することもできる。同じようにいいね！及びよくないね！を示すこともできる。
【００６８】
いずれにせよ、ＣＥ装置は、ＣＥ装置上に最新情報ＵＩを提示している間にＣＥ装置上のＡＶコンテンツの提示を１つのＡＶコンテンツから異なるＡＶコンテンツに変更するためのユーザ入力を受け取ったことに応答して、提示の変更を示す通知をサーバに提供及び／又は送信できることをさらに理解されたい。サーバは、この通知を利用して、サーバと通信しているＣＥ装置に、ＣＥ装置上における変更後のＡＶコンテンツの提示を考慮した視聴カウントを含む変更先のＡＶコンテンツの視聴カウントを含む情報更新を（例えば定常的に及び／又は一定の間隔を置いて定期的に）提供することができる（例えば、あるＡＶコンテンツにＣＥ装置上で同調すると、サーバに通知が送信されて、このＡＶコンテンツの総視聴カウントが１だけ増え、このＡＶコンテンツがＣＥ装置で視聴されていることが考慮されるようにすることができる）。同様に、この通知は、ＣＥ装置上における変更元のＡＶコンテンツの提示が中止されたことをサーバに示すデータを含む（及び／又は別個の通知を送信する）ことにより、この変更元のＡＶコンテンツの視聴カウントを１だけ減らして、このＡＶコンテンツを提示しているＣＥ装置が１つ減ったことを考慮できるようになる。
【００６９】
詳細な説明の結びとして、全体を通じて特にＡＶコンテンツについて説明したが、本原理は、映像のみのコンテンツ、及びＴＶサービスの音楽チャンネルを介して提供されるコンテンツなどの音声のみのコンテンツにも同様に適用することができる。
【００７０】
本明細書では、特定の「オーディオビデオコンテンツ情報をリアルタイムで更新する電子番組ガイド」を図示して詳細に説明したが、本発明に含まれる主題は特許請求の範囲のみによって限定されるものであると理解されたい。
【図１】
2015056904.tif 000003
【図２】
2015056904.tif 000004
【図３】
2015056904.tif 000005
【図４】
2015056904.tif 000006
【図５】
2015056904.tif 000007
【図６】
2015056904.tif 000008
【図７】
2015056904.tif 000009
【図８】
2015056904.tif 000010
【図９】
2015056904.tif 000011
【図１０】
2015056904.tif 000012
【図１１】
2015056904.tif 000013
【外国語明細書】
2015056904000001.pdf